(57)【特許請求の範囲】
【請求項１】
上方に開放された中空のハウジング１０と、
前記ハウジング１０の内部の底面に設置されたエア発生器２０、４０と、
前記ハウジング１０の上方に配置されたフィルター３０と、
前記フィルター３０の上面に密着して前記ハウジング１０の上方を覆う、表面にエア吐出孔６２が形成されたカバー６０と、
で構成されるエア供給装置において、
前記エア発生器２０、４０が、エアを上方及び側方に同時に吐出する上方吐出部２２、４６及び側方吐出部２４、４４でそれぞれ構成され、
前記側方吐出部２４が、複数のファン２２ａの各延長端部に連結される第１のリング２４ａと、前記第１のリング２４ａの直下に一定の長さで延長されると共に前記第１のリング２４ａの円周に沿って連続される複数のブローア２４ｂと、前記ブローア２４ｂの下端部に連結される第２のリング２４ｃと、で構成される
ことを特徴とするエア供給装置。
【請求項２】
前記側方吐出部２４のブローア２４ｂが、前記第１のリング２４ａから前記第２のリング２４ｃに直立して延長される直板で形成されることを特徴とする請求項１に記載のエア供給装置。
【請求項３】
前記側方吐出部２４のブローア２４ｂが、前記第１のリング２４ａから前記第２のリング２４ｃに斜めに傾斜して延長される傾斜板で形成されることを特徴とする請求項１に記載のエア供給装置。
【請求項４】
前記側方吐出部２４のブローア２４ｂが、前記第１のリング２４ａから前記第２のリング２４ｃに曲がって延長される曲面板で形成されることを特徴とする請求項１に記載のエア供給装置。
【請求項５】
前記各々のブローア２４ｂが、円周方向に一定の角度で斜めに傾斜されることを特徴とする請求項２乃至請求項４のいずれか１つに記載のエア供給装置。
【請求項６】
上方に開放された中空のハウジング１０と、
前記ハウジング１０の内部の底面に設置されたエア発生器２０、４０と、
前記ハウジング１０の上方に配置されたフィルター３０と、
前記フィルター３０の上面に密着して前記ハウジング１０の上方を覆う、表面にエア吐出孔６２が形成されたカバー６０と、
で構成されるエア供給装置において、
前記エア発生器２０、４０が、エアを上方及び側方に同時に吐出する上方吐出部２２、４６及び側方吐出部２４、４４でそれぞれ構成され、
前記エア発生器２０、４０と前記フィルター３０との間に、その表面全体にかけて複数の貫通孔７２の形成された多孔板７０が配置され、
前記多孔板７０の底面に複数の小型ファン８０がさらに設けられている
ことを特徴とするエア供給装置。
【発明の詳細な説明】
【技術分野】
【０００１】
本願の発明はエア供給装置（Air supplying apparatus）に関し、より詳しくは上方吐出部と側方吐出部が設けられてエアが上方と側方に同時に吐出されることができるとか、または下方吸入部を通じてエアを吸入した後、側方吐出部と上方吐出部を通じてエアが側方と上方に同時に吐出されることができるようにするエア発生器をハウジングの底面に具備することによって基本的にエア発生器から側方と上方に吐出されたエアがハウジングの内部全体でならして広がって均一なエア吐出分布を有するようにした後、ハウジングの上方に吐出されるようにして板ガラスの安定的なエア浮上ができることは勿論、ファン構造を有する下方吸入部によるエアの吸入後に再びファン構造を有する両吐出部を通じてエアが吐出されるようにすることによって、エア吐出の強さが大きくなり板ガラスの浮上力が向上されるようにするエア供給装置に関する。
【背景技術】
【０００２】
従来にＬＣＤやＰＤＰ等に使用される薄板型板ガラスの不良可否を検査するための検査装備上で板ガラスを検査部側へ搬送させるとか、または他の工程ラインへ搬送させるために使用される搬送装置として、作業台上に一定の間隔を置いて配置される複数個の回転軸上に板ガラスの底面を支持し、搬送させるための複数の搬送ローラーが軸結合されるローラー搬送装置が使用されていた。
【０００３】
しかし、このような搬送ローラーを利用した板ガラス搬送装置は基本的に板ガラスと搬送ローラーの外周面が互いに接触された後に板ガラスが搬送されるので、基本的に接触摩擦による震エア振動などの微細な揺れ現象は完全に排除することができず、このような搖れによって板ガラスの検査時に不良率を正確に測定することができなくなって検査の精密度が低下されるなどの問題点があった。
【０００４】
このような問題点を解決するために、一例で作業台の中央部または両側部などに板ガラスをエア浮上させるためのエア浮上部が設けられ、作業台の幅方向の両側には板ガラスの両側端部を支えて移動させる搬送ローラー部が設けられて板ガラスを一定の高さにエア浮上させた状態で、願う方向に搬送させるようにする搬送装置が提示された。
【０００５】
ここで、上記エア浮上部の構造を概略的に見ると、内部空間を有するハウジングの内部底面に、上方にエアを発生させるエア吐出ファンが設置され、このエア吐出ファンの上部にフィルターが配置されると、その上方にカバーを覆ってこのカバーのエア吐出孔を通じてエアを吐出させて上方の板ガラスをエア浮上させるようにする構造からなっていた。
【発明の概要】
【発明が解決しようとする課題】
【０００６】
しかし、このような従来技術の板ガラス搬送装置はエア吐出ファンがエアを上方だけに吐出させる方式であるので、カバーを通じて上方の板ガラスに吐出されるエア吐出の分布が不均一であって、板ガラスに対するエア浮上が安定的ではなく、これによって板ガラスの搬送が円滑しないことはもちろん、均衡があわなくなって板ガラスが損傷するなどの問題点があった。
【０００７】
本願の発明はこのような問題点を解決するために案出されたものであり、上方吐出部と側方吐出部が設けられて、エアが上方と側方に同時に吐出されることができるようにするとか、または下方吸入部を通じてエアを吸入した後、側方吐出部と上方吐出部を通じてエアが側方と上方に同時に吐出されることができるようにするエア発生器をハウジングの底面に具備することによって、基本的にエア発生器から側方と上方に吐出されたエアがハウジングの内部全体にならして広がって均一なエア吐出の分布を有するようにした後、ハウジングの上方に吐出されるようにして板ガラスが安定的にエア浮上されることは勿論、ファン構造を有する下方吸入部によるエア吸入後に再びファン構造を有する両吐出部を通じてエアが吐出されるようにすることによって、エア吐出の強さが大きくなって板ガラスの浮上力が向上されるようにするエア供給装置を提供することにその目的がある。
【課題を解決するための手段】
【０００８】
このような上記目的を達成するための本発明のエア供給装置は、内部が空いており、上方が開放されたハウジング;上記ハウジングの内部底面に設置されるエア発生器;上記エア発生器の上方であるハウジングの開放された上方に配置されるフィルター;及び上記フィルターの上面に密着されてハウジングの上方を覆って表面にエア吐出孔が形成されたカバーを含んで構成されるエア供給装置において、上記エア発生器はエアを上方及び側方に同時に吐出させることができる上方吐出部及び側方吐出部から成ることを特徴とする。
【０００９】
また、本発明によるエア供給装置において、上記エア発生器の上方吐出部は回転モーターのモーター軸と連結される中央の軸連結部で放射状に延長され、円周方向に一定の角度で傾斜した複数のファンから成り、上記側方吐出部は上記複数のファンの各延長端部を連結する第１のリングと、この第１のリングで直下方に一定の長さが延長され第１のリングの円周に沿って連続される複数のブローアと、これらのブローアの下端部を連結する第２のリングから成ることが望ましい。
【００１０】
また、本発明によるエア供給装置において、上記側方吐出部のブローアは第１のリングから第２のリングに直立延長される直板構造から成ることが望ましい。
【００１１】
また、本発明によるエア供給装置において、上記側方吐出部のブローアは第１のリングから第２のリングに斜めに傾斜して延長される傾斜板構造から成ることが望ましい。
【００１２】
また、本発明によるエア供給装置において、上記側方吐出部のブローアは第１のリングから第２のリングに曲がって延長される曲面板構造から成ることが望ましい。
【００１３】
また、本発明によるエア供給装置において、上記各々のブローアは円周方向に一定の角度に斜めに傾斜したことが望ましい。
【００１４】
また、本発明によるエア供給装置において、上記回転モーターの直下方に該当するハウジングの底面にエアが流入されるように貫通されたエア流入口が形成されることが望ましい。
【００１５】
また、本発明によるエア供給装置において、上記エア発生器は下方でエアを吸入できるようにする下方吸入部がさらに具備されることが望ましい。
【００１６】
また、本発明によるエア供給装置において、上記エア発生器の下方吸入部は回転モーターのモーター軸と連結される中央の軸連結部で放射状に延長され、円周方向に一定の角度に傾斜した複数のファンから成り、上記側方吐出部は上記複数のファンの各延長端部を連結する第１のリングと、この第１のリングから上方に一定の長さが延長され、この第１のリングの円周に沿って連続される複数のブローアと、これらのブローアの下端部を連結する第２のリングから成り、上記上方吐出部は上記第２のリングで中央のファン連結部に連結され、円周方向に一定の角度に傾斜した複数のファンから成ることが望ましい。
【００１７】
また、本発明によるエア供給装置において、上記側方吐出部のブローアは第１のリングから第２のリングに斜めに傾斜して延長される傾斜板構造から成ることが望ましい。
【００１８】
また、本発明によるエア供給装置において、上記側方吐出部のブローアは第１のリングから第２のリングに曲がって延長される曲面板構造から成ることが望ましい。
【００１９】
また、本発明によるエア供給装置において、上記各々のブローアは円周方向に一定の角度に斜めに捩れることが望ましい。
【００２０】
また、本発明によるエア供給装置において、上記側方吐出部の第１のリングは第２のリングより直径が大きいように形成されて、エア発生器の全体外形が円錐構造に形成されることが望ましい。
【００２１】
また、本発明によるエア供給装置において、上記エア発生器とフィルターとの間に、その表面全体に複数の貫通孔が形成された多孔板が配置されることが望ましい。
【００２２】
また、本発明によるエア供給装置において、上記多孔板の底面に複数の小型ファンがさらに具備されることが望ましい。
【発明の効果】
【００２３】
以上のように、本発明によるエア供給装置は上方吐出部と側方吐出部が設けられて、エアが上方と側方に同時に吐出されることができるようにするとか、または下方吸入部を通じてエアを吸入した後、側方吐出部と上方吐出部を通じてエアが側方と上方に同時に吐出されることができるようにするエア発生器をハウジングの底面に具備することによって、基本的にエア発生器から側方と上方に吐出されたエアがハウジングの内部全体にならして広がって均一なエア吐出分布を有するようにした後、ハウジングの上方に吐出されるようにして、板ガラスの安定的なエア浮上ができることは勿論、ファン構造を有する下方吸入部によるエア吸入後、再びファン構造を有する両吐出部を通じてエアが吐出されるようにすることによって、エア吐出の強さが大きくなって板ガラスの浮上力が向上するようにするなどの效果を得る。
【図面の簡単な説明】
【００２４】
【図１】図１は、本発明の一実施例によるエア供給装置が設置された板ガラス搬送装置を示す概略斜視図である。
【図２ａ】図２ａは、本発明の一実施例によるエア供給装置を示す斜視図である。
【図２ｂ】図２ｂは、本発明の一実施例によるエア供給装置を示す分解斜視図である。
【図３】図３は、本発明の一実施例によるエア供給装置を示す概略断面図である。
【図４】図４は、本発明の一実施例によるエア供給装置のエア発生器を示す斜視図である。
【図５】図５は、本発明の一実施例によるエア供給装置のエア発生器の他の実施例を示す斜視図である。
【図６】図６は、本発明の一実施例によるエア供給装置のエア発生器の他の実施例を示す斜視図である。
【図７】図７は、本発明の他の実施例によるエア供給装置を示す概略断面図である。
【図８】図８は、本発明の他の実施例によるエア供給装置のエア発生器を示す斜視図である。
【図９】図９は、本発明の他の実施例によるエア供給装置のエア発生器の他の実施例を示す斜視図である。
【図１０】図１０は、本発明の他の実施例によるエア供給装置を示す斜視図である。
【図１１】図１１は、本発明の他の実施例によるエア供給装置を示す概略断面図である。
【発明を実施するための形態】
【００２５】
以下、添付の図面に基づいて本発明を詳しく説明する。
【００２６】
図１乃至図４に示すように、本発明の一実施例によるエア供給装置は、内部が空いており、上方が開放されたハウジング１０と、このハウジング１０の内部底面に設置されるエア発生器２０と、このエア発生器２０の上方であるハウジング１０の開放された上方に配置されるフィルター３０及びこのフィルター３０の上面に密着されてハウジング１０の上方を覆い、表面にエア吐出孔６２が形成されたカバー６０を含む構成から成る。
【００２７】
上記ハウジング１０は、長さ方向に沿って長く延長される（望ましくは、板ガラス搬送装置などの作業台の長さ方向全体に対応する長さ）上方が開放された長方形四角ボックス状から成る。
【００２８】
そして、回転モーター２５の直下方に該当するハウジング１０の底面にエアが流入されるように貫通されたエア流入口１２が形成されている。
【００２９】
上記エア発生器２０は、ハウジング１０の内部底面に設置されて、エアを吐出させるいわゆる複合ファン構造であって、上記エア発生器２０はエアを上方及び側方に同時に吐出させることができるようにする上方吐出部２２及び側方吐出部２４から成る。
【００３０】
これをより詳しく説明すると、上記エア発生器２０の上方吐出部２２は回転モーター２５のモーター軸２６と連結される中央の軸連結部２１で放射状に延長され、円周方向に一定の角度傾斜した複数のファン２２ａから成り、上記側方吐出部２４は上記複数のファン２２ａの各延長端部を連結する第１のリング２４ａと、この第１のリング２４ａで直下方に一定の長さが延長され、第１のリング２４ａの円周に沿って連続される複数のブローア２４ｂと、これらブローア２４ｂの下端部を連結する第２のリング２４ｃから成る。
【００３１】
上記側方吐出部２４のブローア２４ｂは第１のリング２４ａから第２のリング２４ｃに直立延長される長い直板構造から成る。
【００３２】
図５は、側方吐出部２４の他の実施例であって、ここで側方吐出部２４のブローア２４ｂは第１のリング２４ａから第２のリング２４ｃに斜めに傾斜して延長される傾斜板構造から成る。
【００３３】
図６は、側方吐出部２４の他の実施例であって、ここでは側方吐出部２４のブローア２４ｂは第１のリング２４ａから第２のリング２４ｃに曲がって延長される曲面板構造から成る。
【００３４】
このような上記各々のブローア２４ｂは円周方向に一定の角度斜めに傾斜した構造から成ることが望ましい。
【００３５】
上記フィルター３０はエア発生器２０の上方であるハウジング１０の開放された上方に配置される四角ブロック状であり、吐出されるエアに含まれる異物を除去するとか、またはエア吐出の強さをどのぐらい緩和させることができるようにするなどの機能を有する。
【００３６】
そして、上記カバー６０のエア吐出孔６２は長さ方向に沿って一定の間隔が離隔された複数個の傾斜した櫛目文構造から成る。
【００３７】
このような構成による本発明の一実施例であるエア供給装置は流入されて来る板ガラスをエア浮上させるために回転モーター２５を通じてエア発生器２０を可動させる。
【００３８】
そうすると、回転モーター２５の回転軸２６と連結される軸連結部２１をはじめ放射状で延長される複数のファン２２ａから成る上方吐出部２２と、この上方吐出部２２の延長端部で下方に延長される複数のブローア２４ｂから成る側方吐出部２４が回転軸２６と一緒に一体型に回転される。
【００３９】
そうすると、回転モーター２５の底面に貫通されたエア流入口１２を通じて外部のエアが流入されて側方吐出部２４を通じてはエアの一部を側方に吐出させ、残りのエアは上方の上方吐出部２２を通じて上方に吐出されながらエアが上方及び側方にもれなく吐出されて、結果的にハウジング１０の内部空間全体に対してならすようにエアが分布された状態で上方のフィルター３０を通して均等な吐出量のエアが各々のカバー６０のエア吐出孔６２を通じて上向き吐出されながら、その上方の板ガラスを安定的に浮上させることができる。
【００４０】
一方、図７乃至図９に示すように、本発明の他の実施例によるエア供給装置は内部が空いており、上方が開放されたハウジング１０と、このハウジング１０の内部底面に設置されるエア発生器４０と、このエア発生器４０の上方であるハウジング１０の開放された上方に配置されるフィルター３０及びこのフィルター３０の上面に密着されてハウジング１０の上方を覆い、表面にエア吐出孔６２が形成されたカバー６０を含む構成から成る。
【００４１】
ここでも、上記ハウジング１０は長さ方向に沿って長く延長される（望ましくは、板ガラス搬送装置などの作業台の長さ方向全体に対応する長さ）上方が開放された長方形の四角ボックス状から成る。
【００４２】
そして、回転モーター５０の直下方に該当するハウジング１０の底面でエアが流入されるように貫通されたエア流入口１２が形成されている。
【００４３】
上記エア発生器４０は、下方でエアを吸入することができるようにする下方吸入部４２と、吸入されたエアを上方及び側方で同時に吐出させることができるようにする側方吐出部４４及び上方吐出部４６から成る。
【００４４】
これをより詳しく説明すれば、上記エア発生器４０の下方吸入部４２は回転モーター５０のモーター軸５１と連結される中央の軸連結部４２ａで放射状に延長され、円周方向に一定の角度傾斜した複数のファン４２ｂから成り、上記側方吐出部４４は上記複数のファン４２ｂの各延長端部を連結する第１のリング４４ａと、この第１のリング４４ａで上方に一定の長さが延長され、この第１のリング４４ａの円周に沿って連続される複数のブローア４４ｂと、これらブローア４４ｂの下端部を連結する第２のリング４４ｃから成り、上記上方吐出部４６は上記第２のリング４４ｃで中央のファン連結部４６ａに連結され円周方向に一定の角度傾斜した複数のファン４６ｂから成る。
【００４５】
ここで、上記下方吸入部４２のファン４２ｂと上方吐出部４６のファン４６ｂはエアの吸入及び吐出が円滑するように互いに同一な方向を向けて傾斜することが望ましい。
【００４６】
そして、上記側方吐出部４４のブローア４４ｂは第１のリング４４ａで第２のリング（４４ｃ）に斜めに傾斜して延長される長い傾斜板構造から成る。
【００４７】
図９は、側方吐出部４４の他の実施例であって、ここで上記側方吐出部４４のブローア４４ｂは第１のリング４４ａで第２のリング４４ｃに曲がって延長される、すなわちその中央部が円周方向を向けてふっくらとラウンドされた形象の曲面板構造から成る。
【００４８】
このような上記各々のブローア４４ｂはエア吐出が円滑するように円周方向に一定の角度斜めに捩れた構造からなることが望ましい。
【００４９】
そして、上記側方吐出部４４の第１のリング４４ａは第２のリング４４ｃより直径が大きく形成されてエア発生器４０の全体外形が円錐構造で形成されている。
【００５０】
ここでも、上記フィルター３０はエア発生器４０の上方であるハウジング１０の開放された上方に配置される四角ブロック状であって、吐出されるエアに含まれている異物を除去するとか、またはエア吐出の強さをどのぐらい緩和させることができるようにするなどの機能を有する。
【００５１】
そして、上記カバー６０のエア吐出孔６２は長さ方向に沿って一定の間隔が離隔された複数個の傾斜した櫛目文構造から成る。
【００５２】
このような構成による本発明の一実施例であるエア供給装置は、流入されて来る板ガラスをエア浮上させるために回転モーター５０を通じてエア発生器４０を可動させる。
【００５３】
そうすると、回転モーター５０の回転軸５１と連結される軸連結部４２ａをはじめに放射状で延長される複数のファン４２ｂから成る下方吸入部４２と、この下方吸入部４２の延長端部である第１のリング４４ａで上方に延長される複数のブローア４４ｂから成る側方吐出部４４及び上記ブローア４４ｂの上端延長端部である第２のリング４４ｃで中心部であるファン連結部４６ａに延長される複数のファン４６ｂから成る上方吐出部４６が上記回転モーター５０の回転軸５１と一緒に一体型に回転される。
【００５４】
そうすると、軸回転される下方吸入部４２のファン４２ｂを通じて外部のエアが内部に流入された後、上方の側方吐出部４４を通じては側方に吐出され、残りのエアは上方吐出部４６を通じて上方に吐出されながらエアが側方及び上方にめいめいに吐出されて、結果的にハウジング１０の内部空間全体に対してエアの分布が均一に成る状態で上方のフィルター３０を経て均等な吐出量のエアが各々のカバー６０のエア吐出孔６２を通じて上向きに吐出されながら、その上方の板ガラスを安定的に浮上させることができるようになる。
【００５５】
そして、上記下方吸入部４２のファン４２ｂを通じて強制吸入されたエアが再び側方及び上方のブローア４４ｂとファン４６ｂを通じて強制的に吐出される過程を通じてより強力な吐出圧を有するエアを得ることができるようになって、結果的に板ガラスをもっと安定的に浮上させることができる。
【００５６】
図１０及び図１１は、本発明の他の実施例であって、上記エア発生器２０、４０とフィルター３０との間にその表面全体にかけて複数の貫通孔７２が形成された多孔板７０が配置されていて、この多孔板７０の底面には上向き吐出されるエア吐出圧を増強させるための複数の小型ファン８０がさらに具備されている。
【００５７】
このように、本発明の実施例によるエア供給装置は、上方吐出部と側方吐出部が設けられてエアが上方と側方に同時に吐出されることができるようにするとか、または下方吸入部を通じてエアを吸入した後、側方吐出部と上方吐出部を通じてエアが側方と上方に同時に吐出されることができるようにするエア発生器をハウジングの底面に具備することによって、基本的にエア発生器から側方と上方に吐出されたエアがハウジングの内部全体に対してならして広がって均一なエア吐出分布を有するようにした後、ハウジングの上方に吐出されるようにして板ガラスの安定的なエア浮上ができるようになることは勿論、ファン構造を有する下方吸入部によるエア吸入後、再びファン構造を有する両吐出部を通じてエアが吐出されるようにすることによって、エア吐出の強さが大きくなり、板ガラスの浮上力が向上することができる。
【００５８】
以上のように、本発明は上記の望ましい実施例によって説明したが、このような実施例を従来の公知技術と単純に組合して適用した変形例はもちろん、本発明の特許請求範囲と詳細な説明で本発明が属する技術分野の当業者が容易に変更して利用することができるすべての技術は、本発明の技術範囲に含まれることは当然である。
【符号の説明】
【００５９】
１０    ハウジング
１２    エア流入口
２０    エア発生器
２１    軸連結部
２２    上方吐出部
２２ａ  ファン
２４    側方吐出部
２４ａ  第１のリング
２４ｂ  ブローア
２４ｃ  第２のリング
２５    回転モーター
２６    モーター軸
３０    フィルター
４０    エア発生器
４２    下方吸入部
４２ａ  軸連結部
４２ｂ  ファン
４４    側方吐出部
４４ａ  第１のリング
４４ｂ  ブローア
４４ｃ  第２のリング
４６    上方吐出部
４６ａ  ファン連結部
４６ｂ  ファン
５０    回転モーター
５１    モーター軸
６０    カバー
６２    エア吐出孔
７０    多孔板
７２    貫通孔
８０    小型ファン
【図１】
0005615218.tif 000002
【図２ａ】
0005615218.tif 000003
【図２ｂ】
0005615218.tif 000004
【図３】
0005615218.tif 000005
【図４】
0005615218.tif 000006
【図５】
0005615218.tif 000007
【図６】
0005615218.tif 000008
【図７】
0005615218.tif 000009
【図８】
0005615218.tif 000010
【図９】
0005615218.tif 000011
【図１０】
0005615218.tif 000012
【図１１】
0005615218.tif 000013